(57)【要約】【課題】  従来より利便性を向上させることができる画像処理装置を提供する。【解決手段】  複合機は、画像を記憶する利用者ボックスと、画像に対して実行される処理を利用者ボックス処理設定で設定する処理設定手段と、利用者ボックスに画像が記憶されたときに処理設定手段によって利用者ボックス処理設定で設定されている処理である画像変換（Ｓ１０１）、出力（Ｓ１０３）および削除（Ｓ１０５）を画像に対して実行する処理実行手段とを備えていることを特徴とする。【選択図】  図３
2011188194.tif 000002
【特許請求の範囲】
【請求項１】
画像を記憶する画像記憶部と、前記画像に対して実行される処理を設定する処理設定手段と、前記画像記憶部に前記画像が記憶されたときに前記処理設定手段によって設定されている前記処理を前記画像に対して実行する処理実行手段とを備えていることを特徴とする画像処理装置。
【請求項２】
ジョブを実行するジョブ実行手段と、前記ジョブによって利用される前記画像を前記画像記憶部に記憶させるか否かを設定する記憶設定手段とを備えており、
前記ジョブ実行手段は、前記ジョブによって利用される前記画像を前記画像記憶部に記憶させると前記記憶設定手段によって設定されている場合、前記ジョブを実行するときに前記ジョブによって利用される前記画像を前記画像記憶部に記憶させることを特徴とする請求項１に記載の画像処理装置。
【請求項３】
画像に対して実行される処理の設定を行い、前記画像を記憶する画像記憶部に前記画像が記憶されたときに前記画像に対して前記処理を実行することを特徴とする画像処理方法。
【発明の詳細な説明】
【技術分野】
【０００１】
本発明は、画像を処理することができる画像処理装置に関する。
【背景技術】
【０００２】
従来、コピー、ファクシミリ、スキャナの各機能によって原稿を読み取るとき、原稿を多値で読み取ったオリジナルの画像と、各機能における画像変換の条件とを蓄積するとともに、オリジナルの画像を画像変換の条件で変換した後、変換後の画像を各機能で使用する画像形成システムが知られている（例えば、特許文献１参照。）。そして、この画像形成システムにおいては、各機能で使用した画像をそのまま再利用する場合には、蓄積していたオリジナルの画像を、蓄積していた画像変換の条件で変換した後、変換後の画像を再利用するようになっており、各機能で使用した画像を利用者が新たに設定した画像変換の条件で変換して再利用する場合には、蓄積していたオリジナルの画像を、利用者が新たに設定した画像変換の条件で変換した後、変換後の画像を再利用するようになっている。
【先行技術文献】
【特許文献】
【０００３】
【特許文献１】特開２００３−２８３７１３号公報
【発明の概要】
【発明が解決しようとする課題】
【０００４】
しかしながら、特許文献１に記載されている画像形成システムにおいては、利用者が新たに設定する画像変換の条件が毎回同じであったとしても、再利用の度に利用者に同じ画像変換の条件を設定させる必要があり、利用者にとって不便であるという問題がある。
【０００５】
そこで、本発明は、従来より利便性を向上させることができる画像処理装置を提供することを目的とする。
【課題を解決するための手段】
【０００６】
本発明の画像処理装置は、画像を記憶する画像記憶部と、前記画像に対して実行される処理を設定する処理設定手段と、前記画像記憶部に前記画像が記憶されたときに前記処理設定手段によって設定されている前記処理を前記画像に対して実行する処理実行手段とを備えていることを特徴とする。
【０００７】
この構成により、本発明の画像処理装置は、画像記憶部に画像が記憶されたときに画像に対して予め設定されている処理を自動的に実行するので、従来より利便性を向上させることができる。
【０００８】
また、本発明の画像処理装置は、ジョブを実行するジョブ実行手段と、前記ジョブによって利用される前記画像を前記画像記憶部に記憶させるか否かを設定する記憶設定手段とを備えており、前記ジョブ実行手段は、前記ジョブによって利用される前記画像を前記画像記憶部に記憶させると前記記憶設定手段によって設定されている場合、前記ジョブを実行するときに前記ジョブによって利用される前記画像を前記画像記憶部に記憶させることが好ましい。
【０００９】
この構成により、本発明の画像処理装置は、ジョブを実行するときに画像に対して予め設定されている処理を自動的に実行することができる。
【００１０】
本発明の画像処理方法は、画像に対して実行される処理の設定を行い、前記画像を記憶する画像記憶部に前記画像が記憶されたときに前記画像に対して前記処理を実行することを特徴とする。
【００１１】
この構成により、本発明の画像処理方法は、画像記憶部に画像が記憶されたときに画像に対して予め設定されている処理を自動的に実行するので、従来より利便性を向上させることができる。
【発明の効果】
【００１２】
本発明の画像処理装置は、従来より利便性を向上させることができる。
【図面の簡単な説明】
【００１３】
【図１】本発明の一実施の形態に係る複合機の構成を示すブロック図である。
【図２】図１に示す利用者ボックス処理設定を指定する画面の例を示す図である。
【図３】利用者ボックスが使用される場合の図１に示す複合機の動作のフローチャートである。
【図４】図１に示すシステムボックス記憶設定およびシステムボックス処理設定を指定する画面の例を示す図である。
【図５】コピーのジョブを実行する場合の図１に示す複合機の動作のフローチャートである。
【図６】図１に示すシステムボックス記憶設定およびシステムボックス処理設定を指定する画面の例であって、図４に示す例とは異なる例を示す図である。
【発明を実施するための形態】
【００１４】
以下、本発明の一実施の形態について、図面を用いて説明する。
【００１５】
まず、本実施の形態に係る画像処理装置としての複合機の構成について説明する。
【００１６】
図１は、本実施の形態に係る複合機１０の構成を示すブロック図である。
【００１７】
図１に示すように、複合機１０は、複合機１０全体を制御する制御部１１と、種々の情報を記憶する記憶部１２と、利用者によって種々の操作が入力される図示していない操作パネル上の操作部１３と、種々の情報を表示する操作パネル上の表示部１４と、原稿から画像を読み取るスキャナ部１５と、印刷ジョブを印刷するプリンタ部１６と、外部の装置とネットワークなどを介して通信を行うための通信部１７とを備えている。
【００１８】
制御部１１は、例えば、ＣＰＵ（Ｃｅｎｔｒａｌ  Ｐｒｏｃｅｓｓｉｎｇ  Ｕｎｉｔ）と、プログラムおよび各種のデータを予め記憶している不揮発性のメモリであるＲＯＭ(Ｒｅａｄ  Ｏｎｌｙ  Ｍｅｍｏｒｙ)と、プログラムおよび各種のデータを記憶する書き換え可能な不揮発性のメモリであるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）と、ＣＰＵの作業領域として用いられる揮発性のメモリであるＲＡＭ(Ｒａｎｄｏｍ  Ａｃｃｅｓｓ  Ｍｅｍｏｒｙ)となどによって構成されているコンピュータである。ＣＰＵは、ＲＯＭやＥＥＰＲＯＭに記憶されているプログラムを実行することによって制御部１１を動作させる演算処理装置である。ＲＡＭは、ＣＰＵによってプログラムが実行されるときにプログラムや各種のデータを一時的に記憶するようになっている。
【００１９】
制御部１１は、プログラムを実行することによって、画像に対して実行される処理を設定する処理設定手段１１ａと、後述する利用者ボックス１２ａやシステムボックス１２ｂに画像が記憶されたときに処理設定手段１１ａによって設定されている処理を画像に対して実行する処理実行手段１１ｂと、ジョブを実行するジョブ実行手段１１ｃと、ジョブによって利用される画像をシステムボックス１２ｂに記憶させるか否かを設定する記憶設定手段１１ｄとして機能するようになっている。
【００２０】
記憶部１２は、例えば、ＥＥＰＲＯＭ、ＲＡＭ、ＨＤＤ（Ｈａｒｄ  Ｄｉｓｋ  Ｄｒｉｖｅ）などの記憶デバイスである。記憶部１２は、画像を記憶する画像記憶部であって複合機１０の利用者によって使用される利用者ボックス１２ａと、画像を記憶する画像記憶部であって複合機１０によって使用されるシステムボックス１２ｂと、利用者ボックス１２ａに記憶される画像に対して実行される処理の設定である利用者ボックス処理設定１２ｃと、ジョブによって利用される画像をシステムボックス１２ｂに記憶させるか否かの設定であるシステムボックス記憶設定１２ｄと、システムボックス１２ｂに記憶される画像に対して実行される処理の設定であるシステムボックス処理設定１２ｅとを備えている。記憶部１２は、複合機１０の利用者毎に利用者ボックス１２ａおよび利用者ボックス処理設定１２ｃを備えている。複合機１０の利用者は、操作部１３を操作することによって利用者自身の利用者ボックス１２ａおよび利用者ボックス処理設定１２ｃを記憶部１２に生成することができる。また、複合機１０の利用者は、操作部１３を操作することによってシステムボックス１２ｂ、システムボックス記憶設定１２ｄおよびシステムボックス処理設定１２ｅを記憶部１２に生成することもできる。
【００２１】
操作部１３は、例えば、表示部１４とともにタッチパネルを形成するボタンや、操作パネル上のボタンなどの入力デバイスである。
【００２２】
表示部１４は、例えば、ＬＣＤ(Ｌｉｑｕｉｄ  Ｃｒｙｓｔａｌ  Ｄｉｓｐｌａｙ)などの表示デバイスである。
【００２３】
スキャナ部１５は、原稿から画像を読み取る読取デバイスである。
【００２４】
プリンタ部１６は、外部の装置からの印刷データの印刷ジョブや、スキャナ部１５によって読み取られた画像の印刷ジョブであるコピーの印刷ジョブなどの印刷ジョブを印刷する印刷デバイスである。
【００２５】
通信部１７は、例えば、スキャナ部１５によって読み取られた画像を外部の装置に送信したり、プリンタ部１６によって印刷されるための印刷データを外部の装置から受信したりする通信デバイスである。
【００２６】
次に、複合機１０の動作について説明する。
【００２７】
まず、利用者ボックス１２ａが使用される場合の複合機１０の動作について説明する。
【００２８】
図２は、利用者ボックス処理設定１２ｃを指定する画面の例を示す図である。
【００２９】
利用者は、利用者ボックス処理設定１２ｃの指定の開始を操作部１３を介して複合機１０に指示することができる。複合機１０の制御部１１の機能の１つである処理設定手段１１ａは、利用者ボックス処理設定１２ｃの指定の開始が操作部１３を介して指示されると、図２に示す画面を表示部１４に表示させる。
【００３０】
そして、利用者は、表示部１４に表示されている利用者ボックス処理設定１２ｃの変更を操作部１３を介して複合機１０に指示することができる。処理設定手段１１ａは、利用者ボックス処理設定１２ｃの変更が操作部１３を介して指示されると、変更後の利用者ボックス処理設定１２ｃを記憶部１２に記憶させる。
【００３１】
ここで、図２に示す画面における利用者ボックス処理設定１２ｃの各項目を説明する。
【００３２】
「出力先」は、利用者ボックス１２ａに記憶された画像が出力される宛先を設定するための項目であり、例えば「指定なし」、「利用者のＰＣ」、「画像管理サーバー」などの選択肢がある。「指定なし」とは、利用者ボックス１２ａに記憶された画像を出力しないということである。「利用者のＰＣ」は、実際には利用者のＰＣ（Ｐｅｒｓｏｎａｌ  Ｃｏｍｐｕｔｅｒ）のアドレスが関連付けられている。同様に、「画像管理サーバー」は、実際には画像管理サーバーのアドレスが関連付けられている。
【００３３】
「カラーモード」は、利用者ボックス１２ａに記憶された画像が画像変換されるカラーモードを設定するための項目であり、例えば「記憶時の設定に従う」、「フルカラー」、「グレースケール」、「白黒」などの選択肢がある。「記憶時の設定に従う」とは、スキャナ部１５によって原稿から読み取られたときのカラーモードを変更しないということである。
【００３４】
「解像度」は、利用者ボックス１２ａに記憶された画像が画像変換される解像度を設定するための項目であり、例えば「記憶時の設定に従う」、「２００ｄｐｉ」、「３００ｄｐｉ」、「４００ｄｐｉ」、「６００ｄｐｉ」などの選択肢がある。「記憶時の設定に従う」とは、スキャナ部１５によって原稿から読み取られたときの解像度を変更しないということである。
【００３５】
「ファイル形式」は、利用者ボックス１２ａに記憶された画像が画像変換されるファイル形式を設定するための項目であり、例えば「記憶時の設定に従う」、「ＰＤＦ」、「ＸＰＳ」、「ＴＩＦＦ」、「ＪＰＥＧ」などの選択肢がある。「記憶時の設定に従う」とは、スキャナ部１５によって原稿から読み取られたときのファイル形式を変更しないということである。
【００３６】
「出力後削除」は、利用者ボックス１２ａに記憶された画像を出力後に利用者ボックス１２ａから削除するか否かを設定するための項目であり、「削除する」、「削除しない」という選択肢がある。
【００３７】
図３は、利用者ボックス１２ａが使用される場合の複合機１０の動作のフローチャートである。
【００３８】
利用者は、スキャナ部１５によって原稿から画像を読み取らせて、スキャナ部１５によって読み取らせた画像を利用者ボックス１２ａに記憶させること（以下「ＳｃａｎＴｏ利用者ボックス」という。）を、操作部１３を介して複合機１０に指示することができる。制御部１１は、ＳｃａｎＴｏ利用者ボックスが操作部１３を介して指示されると、ＳｃａｎＴｏ利用者ボックスを実行する。そして、制御部１１がＳｃａｎＴｏ利用者ボックスを実行すると、制御部１１の機能の１つである処理実行手段１１ｂは、利用者ボックス１２ａに記憶させられた画像に対して図３に示す処理の実行を開始する。
【００３９】
図３に示すように、処理実行手段１１ｂは、利用者ボックス１２ａに記憶された画像に対して利用者ボックス処理設定１２ｃ内の画像変換の設定に基づいて画像変換を実行する（Ｓ１０１）。つまり、処理実行手段１１ｂは、「カラーモード」、「解像度」、「ファイル形式」の設定に基づいて画像変換を実行する。
【００４０】
なお、「カラーモード」が「記憶時の設定に従う」であり、「解像度」が「記憶時の設定に従う」であり、「ファイル形式」が「記憶時の設定に従う」である場合、処理実行手段１１ｂは、利用者ボックス１２ａに記憶された画像に対して、実際には画像変換を行わない。つまり、利用者ボックス１２ａには、スキャナ部１５によって原稿から読み取られたままの画像が記憶され続ける。
【００４１】
処理実行手段１１ｂは、Ｓ１０１の処理を実行すると、利用者ボックス処理設定１２ｃに出力の設定があるか否かを判断する（Ｓ１０２）。ここで、処理実行手段１１ｂは、「出力先」が「指定なし」ではない場合、出力の設定があると判断する。
【００４２】
処理実行手段１１ｂは、利用者ボックス処理設定１２ｃに出力の設定があるとＳ１０２において判断すると、利用者ボックス１２ａに記憶された画像に対して利用者ボックス処理設定１２ｃ内の出力の設定に基づいて出力を実行する（Ｓ１０３）。
【００４３】
次いで、処理実行手段１１ｂは、利用者ボックス処理設定１２ｃに出力後削除の設定があるか否かを判断する（Ｓ１０４）。ここで、処理実行手段１１ｂは、「出力後削除」が「削除する」である場合、出力後削除の設定があると判断し、「出力後削除」が「削除しない」である場合、出力後削除の設定がないと判断する。
【００４４】
処理実行手段１１ｂは、利用者ボックス処理設定１２ｃに出力後削除の設定があるとＳ１０４において判断すると、利用者ボックス１２ａに記憶された画像を利用者ボックス１２ａから削除する（Ｓ１０５）。
【００４５】
処理実行手段１１ｂは、利用者ボックス処理設定１２ｃに出力の設定がないとＳ１０２において判断したとき、または、利用者ボックス処理設定１２ｃに出力後削除の設定がないとＳ１０４において判断したとき、図３に示す処理の実行を終了する。
【００４６】
なお、処理実行手段１１ｂは、利用者ボックス処理設定１２ｃに出力の設定がないとＳ１０２において判断したとき、または、利用者ボックス処理設定１２ｃに出力後削除の設定がないとＳ１０４において判断したとき、利用者ボックス１２ａに記憶された画像を利用者ボックス１２ａから削除しない。したがって、利用者は、利用者ボックス１２ａに記憶されている画像を複合機１０に送信させたり印刷させたりすることができる。
【００４７】
利用者ボックス処理設定１２ｃが図２に示す例である場合、処理実行手段１１ｂは、利用者ボックス１２ａに記憶させられた画像を、「カラーモード」が「フルカラー」であり、「解像度」が「３００ｄｐｉ」であり、「ファイル形式」が「ＰＤＦ」である画像に画像変換して更新し（Ｓ１０１）、通信部１７を介して「利用者のＰＣ」に宛てて送信し（Ｓ１０３）、利用者ボックス１２ａから削除する（Ｓ１０５）。
【００４８】
なお、利用者ボックス処理設定１２ｃに含まれる項目の構成は、上述した構成に限られない。例えば、利用者ボックス処理設定１２ｃは、利用者ボックス１２ａに記憶させられた画像の出力方法として、電子メールでの送信や、ＦＴＰ（Ｆｉｌｅ  Ｔｒａｎｓｆｅｒ  Ｐｒｏｔｏｃｏｌ）での送信などを設定可能に構成されることもできる。
【００４９】
以上に説明したように、複合機１０は、ＳｃａｎＴｏ利用者ボックスが実行されて利用者ボックス１２ａに画像が記憶されたときに、利用者ボックス１２ａに記憶させられた画像に対して、予め設定されている処理、すなわち、利用者ボックス処理設定１２ｃに応じた処理を自動的に実行する。そのため、利用者は、スキャナ部１５によって読み取られせる画像に対する処理を毎回設定しなくても、複合機１０にＳｃａｎＴｏ利用者ボックスを実行させる操作を行うのみで、画像に対して毎回同じ処理を複合機１０に実行させることができる。したがって、複合機１０は、従来より利便性を向上させることができる。
【００５０】
次に、システムボックス１２ｂが使用される場合の複合機１０の動作について説明する。
【００５１】
図４は、システムボックス記憶設定１２ｄおよびシステムボックス処理設定１２ｅを指定する画面の例を示す図である。
【００５２】
利用者は、システムボックス記憶設定１２ｄおよびシステムボックス処理設定１２ｅの指定の開始を操作部１３を介して複合機１０に指示することができる。複合機１０の制御部１１の機能の１つである処理設定手段１１ａおよび記憶設定手段１１ｄは、システムボックス記憶設定１２ｄおよびシステムボックス処理設定１２ｅの指定の開始が操作部１３を介して指示されると、図４に示す画面を表示部１４に表示させる。
【００５３】
そして、利用者は、表示部１４に表示されているシステムボックス記憶設定１２ｄの変更を操作部１３を介して複合機１０に指示することができる。記憶設定手段１１ｄは、システムボックス記憶設定１２ｄの変更が操作部１３を介して指示されると、変更後のシステムボックス記憶設定１２ｄを記憶部１２に記憶させる。
【００５４】
同様に、利用者は、表示部１４に表示されているシステムボックス処理設定１２ｅの変更を操作部１３を介して複合機１０に指示することができる。処理設定手段１１ａは、システムボックス処理設定１２ｅの変更が操作部１３を介して指示されると、変更後のシステムボックス処理設定１２ｅを記憶部１２に記憶させる。
【００５５】
ここで、図４に示す画面におけるシステムボックス記憶設定１２ｄを説明する。「システムボックス経由」は、ジョブによって利用される画像をシステムボックス１２ｂに記憶させるか否かを設定するための項目であり、「経由する」、「経由しない」という選択肢がある。「経由する」は、ジョブによって利用される画像をシステムボックス１２ｂに記憶させるということである。一方、「経由しない」は、ジョブによって利用される画像をシステムボックス１２ｂに記憶させないということである。
【００５６】
システムボックス処理設定１２ｅの各項目については、上述した利用者ボックス処理設定１２ｃの各項目と同様であるので、説明を省略する。
【００５７】
図５は、コピーのジョブを実行する場合の複合機１０の動作のフローチャートである。
【００５８】
利用者は、コピーのジョブ、すなわち、スキャナ部１５によって原稿から画像を読み取らせて、読み取らせた画像をプリンタ部１６に印刷させること（以下「ＳｃａｎＴｏＰｒｉｎｔ」という。）を、操作部１３を介して複合機１０に指示することができる。制御部１１は、ＳｃａｎＴｏＰｒｉｎｔが操作部１３を介して指示されると、図５に示す処理の実行を開始する。
【００５９】
図５に示すように、制御部１１の機能の１つであるジョブ実行手段１１ｃは、システムボックス記憶設定１２ｄに経由の設定があるか否かを判断する（Ｓ１２１）。ここで、ジョブ実行手段１１ｃは、「システムボックス経由」が「経由する」である場合、経由の設定があると判断し、「経由しない」である場合、経由の設定がないと判断する。
【００６０】
ジョブ実行手段１１ｃは、システムボックス記憶設定１２ｄに経由の設定がないとＳ１２１において判断すると、ＳｃａｎＴｏＰｒｉｎｔを実行して（Ｓ１２２）、図５に示す処理を終了する。
【００６１】
一方、ジョブ実行手段１１ｃは、システムボックス記憶設定１２ｄに経由の設定があるとＳ１２１において判断すると、画像処理フローであるＳｃａｎＴｏＰｒｉｎｔを分割する（Ｓ１２３）。つまり、ジョブ実行手段１１ｃは、スキャナ部１５によって原稿から画像を読み取らせて、スキャナ部１５によって読み取らせた画像をシステムボックス１２ｂに記憶させること（以下「ＳｃａｎＴｏシステムボックス」という。）と、システムボックス１２ｂに記憶させた画像をプリンタ部１６に印刷させること（以下「システムボックスＴｏＰｒｉｎｔ」という。）とに、ＳｃａｎＴｏＰｒｉｎｔを分割する。
【００６２】
次いで、ジョブ実行手段１１ｃは、ＳｃａｎＴｏシステムボックスを実行した後（Ｓ１２４）、システムボックスＴｏＰｒｉｎｔを実行して（Ｓ１２５）、図５に示す処理を終了する。
【００６３】
ジョブ実行手段１１ｃがＳ１２４の処理を実行してから図５に示す処理を終了すると、処理実行手段１１ｂは、Ｓ１２４においてシステムボックス１２ｂに記憶させられた画像に対してシステムボックス処理設定１２ｅに基づいて図３に示す処理と同様の処理を実行する。
【００６４】
システムボックス記憶設定１２ｄおよびシステムボックス処理設定１２ｅが図４に示す例である場合、ジョブ実行手段１１ｃは、スキャナ部１５によって読み取らせた画像をシステムボックス１２ｂに記憶させてからコピーのジョブを終了する。そして、処理実行手段１１ｂは、システムボックス１２ｂに記憶させられた画像を画像変換せず、何処にも送信せず、システムボックス１２ｂから削除もしない。したがって、利用者は、コピーのジョブが終了した後、システムボックス１２ｂに記憶させられた画像をプリンタ部１６に印刷させることによって、コピーのジョブによって生成された印刷物と同一の印刷物を再び得ることができる。つまり、利用者は、いわゆる再コピーを複合機１０に実行させることができる。
【００６５】
以上においては、コピーのジョブについて説明しているが、スキャナ部１５によって読み取らせた画像を扱うジョブであれば、スキャナ部１５によって読み取らせた画像をＦＡＸで送信するＦＡＸ送信のジョブ、スキャナ部１５によって読み取らせた画像を電子メールで送信する電子メール送信のジョブ、スキャナ部１５によって読み取らせた画像をＦＴＰで送信するＦＴＰ送信のジョブなど、コピーのジョブ以外のジョブであっても同様である。
【００６６】
例えば、ＦＡＸ送信のジョブについて説明する。
【００６７】
図６は、システムボックス記憶設定１２ｄおよびシステムボックス処理設定１２ｅを指定する画面の例であって、図４に示す例とは異なる例を示す図である。
【００６８】
システムボックス記憶設定１２ｄおよびシステムボックス処理設定１２ｅが図６に示す例である場合、ジョブ実行手段１１ｃは、スキャナ部１５によって読み取らせた画像をシステムボックス１２ｂに記憶させてからＦＡＸ送信のジョブを終了する。そして、処理実行手段１１ｂは、システムボックス１２ｂに記憶させられた画像を、「カラーモード」が「フルカラー」であり、「解像度」が「３００ｄｐｉ」であり、「ファイル形式」が「ＰＤＦ」である画像に画像変換して更新し、通信部１７を介して「画像管理サーバー」に宛てて送信し、システムボックス１２ｂから削除しない。したがって、複合機１０は、ＦＡＸ送信のジョブが終了した後、利用者によって指定された設定に基づいて画像を画像変換し、利用者によって指定された宛先である画像管理サーバーに送信することができる。つまり、利用者は、いわゆる原稿控え送信を複合機１０に実行させることができる。
【００６９】
なお、システムボックス記憶設定１２ｄは、ジョブによって利用される画像をシステムボックス１２ｂに記憶させるか否かを、ジョブの種類によって設定されるようになっていても良い。例えば、システムボックス記憶設定１２ｄは、ジョブがコピーのジョブである場合には、ジョブによって利用される画像をシステムボックス１２ｂに記憶させ、ジョブがＦＡＸ送信のジョブである場合には、ジョブによって利用される画像をシステムボックス１２ｂに記憶させないと設定されるようになっていても良い。
【００７０】
同様に、システムボックス処理設定１２ｅは、ジョブの種類によって設定されるようになっていても良い。例えば、システムボックス処理設定１２ｅは、ジョブがコピーのジョブである場合には、図４に示すように設定され、ジョブがＦＡＸ送信のジョブである場合には、図６に示すように設定されるようになっていても良い。
【００７１】
また、システムボックス処理設定１２ｅに含まれる項目の構成は、上述した構成に限られない。例えば、システムボックス処理設定１２ｅは、システムボックス１２ｂに記憶させられた画像の出力方法として、電子メールでの送信や、ＦＴＰでの送信などを設定可能に構成されることもできる。
【００７２】
以上に説明したように、複合機１０は、ジョブが実行されてシステムボックス１２ｂに画像が記憶されたときに、システムボックス１２ｂに記憶させられた画像に対して、予め設定されている処理、すなわち、システムボックス処理設定１２ｅに応じた処理を自動的に実行する。そのため、利用者は、スキャナ部１５によって読み取られせる画像に対する処理のうち、ジョブの処理以外の処理を毎回設定しなくても、複合機１０にジョブを実行させる操作を行うのみで、画像に対して毎回同じ処理を複合機１０に実行させることができる。したがって、複合機１０は、従来より利便性を向上させることができる。
【００７３】
なお、本発明の画像処理装置は、本実施の形態において複合機について説明しているが、コピー機など、複合機以外の画像処理装置であっても良い。
【符号の説明】
【００７４】
１０  複合機（画像処理装置）
１１ａ  処理設定手段
１１ｂ  処理実行手段
１１ｃ  ジョブ実行手段
１１ｄ  記憶設定手段
１２ａ  利用者ボックス（画像記憶部）
１２ｂ  システムボックス（画像記憶部）
【図１】
2011188194.tif 000003
【図２】
2011188194.tif 000004
【図３】
2011188194.tif 000005
【図４】
2011188194.tif 000006
【図５】
2011188194.tif 000007
【図６】
2011188194.tif 000008